(57)【要約】 【課題】  擦り管本体とは別体の専用の排出棒が不要であり、しかも擦り管本体内の剥離角質を片手操作、ワンタッチ操作で極めて簡単且つ効率良く排出し得、清潔で衛生性に優れた角質除去具を提供する。【解決手段】  先端部に剥離角質Ａを堆積させる収容空部１４を備えると共に、先端刃部１２を備えた擦り管本体１と、擦り管本体１に嵌挿配備される角質排出棒２と、一端が擦り管本体１の適所に支承され、他端が角質排出棒２の適所に支承されて、角質排出棒２の基端部を擦り管本体１より突出させると共に、先端部を収容空部１４に位置させる付勢手段３とからなる。【選択図】          図２
0003134240.tif 000002
【実用新案登録請求の範囲】
【請求項１】
先端部に剥離角質を堆積させる収容空部を備えると共に、先端刃部を備えた擦り管本体と、擦り管本体に嵌挿配備される角質排出棒と、一端が擦り管本体の適所に配備され、他端が角質排出棒の適所に配備されて，角質排出棒の基端部を擦り管本体より突出させると共に、先端部を収容空部に位置させる付勢手段とからなる角質除去具。
【請求項２】
付勢手段は、圧縮バネの一端を擦り管本体の一端に当接配備し、他端を角質排出棒の適所に当接配備したものであることを特徴とする請求項１記載の角質除去具。
【請求項３】
前記圧縮バネは角質排出棒の小径部に外嵌し、バネ一端は擦り管本体の内向き突子状ストッパに当接支承され、他端が角質排出棒の段部に当接支承されたものであることを特徴とする請求項２記載の角質除去具。
【考案の詳細な説明】
【技術分野】
【０００１】
この考案は、例えば手足の角質を除去し皮膚を清浄化するのに使用する角質除去具に関する。
【背景技術】
【０００２】
家庭で、手や足の角質を除去するのに簡易に使用できる器具として、図４で示すものが知られている。この器具は、金属製或いは硬質プラスチック製の円筒状擦り管本体４１の先端部に、断面が略三角形状の先端刃部４１ａを周設している。
【０００３】
使用に際しては、例えば踵の角質に対して先端刃部を直角状に配置し、この管姿勢を保持して円筒状擦り管本体を前後動させる。これにより、角質が剥離し、剥離した角質は円筒状擦り管本体の内部に堆積状に集積する。
【０００４】
剥離した角質がある程度の量、溜まると、これを管外へ排出し廃棄する必要がある。従来は、図４で示すように円筒状擦り管本体の基端側から、管本体に対し押出し棒を挿し込み、押出し棒先端面で堆積状に溜まった剥離角質を外部へ排出している。
【特許文献１】実開昭６０−６９０９１号公報
【考案の開示】
【考案が解決しようとする課題】
【０００５】
上記角質除去具では、手足の角質除去に顕著な効果を発揮し得る反面、擦り管本体内に堆積した剥離角質を排出するのに、別途、専用の押出棒が必要である。押出棒は、擦り管本体とは別体であるため、紛失或いは毀損する虞れがある。
【０００６】
更に、擦り管本体と押出棒が別体であると、角質を排出する際、片手で擦り管本体を持ち、他方の手で押出棒を把持しなければならず、角質の排出作業に両手を要する不便がある。
【０００７】
また、管本体内に堆積した剥離角質の外周面は、管本体の内周面に密着している。管内に堆積した剥離角質を効率よく排出するためには、押出棒の外径と擦り管本体の内径とをほぼ同一にすれば非衛生な排出残しは解消される。
【０００８】
ところが、管本体と押出棒の径に大差がない設定とすると、排出残しがなくなり洗浄の手間が省ける反面、押出棒を管本体に対し嵌挿する作業が困難、且つ極めて煩瑣となる不利があった。
【０００９】
かくして、従来の角質除去具では、清潔且つ衛生状態の良好性を保持するために、角質除去具を使用するたびに押出棒並びに擦り管本体を洗浄しなければならない等の欠点があった。
【００１０】
この考案は、以上のような課題を解消させ、擦り管本体とは別体の専用の排出棒が不要であり、しかも擦り管本体内の剥離角質をワンタッチ操作で極めて簡単且つ効率良く排出し得、清潔で衛生性に優れた角質除去具を提供することを目的とする。
【課題を解決するための手段】
【００１１】
この目的を達成させるために、この考案の角質除去具では、次のような構成としている。
【００１２】
角質除去具は、先端部に剥離角質を堆積させる収容空部を備えると共に先端刃部を備えた擦り管本体と、擦り管本体に嵌挿配備される角質排出棒と、一端が擦り管本体の適所に支承され、他端が角質排出棒の適所に支承されて、角質排出棒の基端部を擦り管本体より突出させると共に、先端部を収容空部に位置させる付勢手段とから成ることを特徴としている。
【考案の効果】
【００１３】
この考案では以上のように、常態において付勢手段により角質排出棒の基端部を、擦り管本体より外方へ突出させて排出時の操作部分とすると共に、角質排出棒の先端部を収容空部に位置させて収容空部の可動底部分とすることとしたから、この角質除去具はこの常態姿勢のまま角質の除去に使用し得る。
【００１４】
収容空部に溜まった剥離角質を排出する作業は、排出時の操作部分である角質排出棒の突出部をバネ付勢力に抗して押し込むだけの片手操作、ワンタッチ操作で簡易、迅速、且つ正確に実行し得る。
【００１５】
また、この角質除去具では擦り管本体と角質排出棒が嵌挿状に配備したから、専用の排出棒を紛失したり毀損したりする虞れがない許かりでなく、排出棒を擦り管本体に嵌挿する煩わしい作業が不要であり、極めて使用かってが良好である。
【００１６】
更に、角質排出棒の先端部は、収容空部の内径に摺動する外径であり、且つ収容空部の底部を形成しているから、剥離角質は角質排出棒の先端部で受け止められ、収容空部内にのみ留まる。したがって、剥離角質は残滓なく効率より排出さ得るから、擦り管本体や角質排出棒の洗浄が不要であり、清潔な衛生状態を簡易に保持し得るなど考案目的を達成した優れた効果を有する。
【考案を実施するための最良の形態】
【００１７】
以下、図面に基づき本考案に係る角質除去具の具体的な実施の形態を説明する。
図１は、角質除去具を示す斜視図である。
【００１８】
角質除去具は、擦り管本体１と、この擦り管本体１に嵌挿配備される角質排出棒２と、角質排出棒２を擦り管本体１の基端部方向へ弾機する付勢手段３とから構成される。
【００１９】
擦り管本体１は、直径が４乃至５ミリ程度の細径のステンレス製中空円筒体１１で、例えば快削性を与えた１８クロムステンレスなどが使用される。この中空円筒体１１の先端縁は、削り加工を施して断面が略三角形状の先端刃部１２が周設してある。
【００２０】
また、この中空円筒体１１の先端部側には、後述する付勢手段３の一端を固定するストッパ１３、１３を配備している。ストッパ１３、１３は、実施の形態では中空円筒体１１の外表面を内向きに凹ませて、対向するストッパ（凹み部）１３、１３間の内径を小さく設定している。
【００２１】
また、ストッパ１３はこの内向きの対向状突子（凹み部) に変えて、中空円筒体１１の外表面を一周する凹み条（内向きの突条）１３であっても良く、要は付勢手段３の一端を支承固定できればよい。
【００２２】
上記ストッパ１３、１３位置から中空円筒体１１の先端（先端刃部１２）までを、剥離角質Ａを堆積状に収容する収容空部１４に設定している。また、この収容空部１４の基端側すなわちストッパ１３側には後述する先端頭部２３が位置する。
【００２３】
上記角質排出棒２は、プラスチック製の円柱状棒体で、前記擦り管本体１長さより僅かに長尺に設定してある。図２で示すように、角質排出棒２は耐衝撃性熱可塑性樹脂、例えばＡＢＳ樹脂製で、上記擦り管本体１の内径に適嵌合する大径部２１と、この大径部２１に段部２５を介して連続する先端側の小径部２２とからなる。
【００２４】
この小径部２２の先端には、表面滑性のキャップ状の先端頭部２３が嵌着してある。この先端頭部２３は、擦り管本体１の内径に適嵌合する、つまり収容空部１４の内径に適嵌合する径に設定されている。
【００２５】
更に、この先端頭部２３は前記収容空部１４の基端側、つまりストッパ１３、１３の前方に配置してあり、常態において先端頭部２３は、収容空部１４の可動底部となしてある。尚、実施の形態では先頭頭部２３を小径部２２の先端部に嵌め殺し状に嵌着しているが、実施に際しては脱着可能に嵌合配備してもよい。
【００２６】
上記付勢手段３は、実施の形態では、バネ（圧縮コイルバネ）３が使用されている。この圧縮コイルバネ３は弾機の安定性を図って、両端をほぼ平にしたクローズドエンドが使用されているが、実施に際してはオープンエンドであってもかまわない。
【００２７】
この圧縮バネ３の一端（先端）３２は、上記角質排出棒２の小径部２２に外嵌し、一端（先端）３２が前記ストッパ（内向き突子）１３、１３に当接して支承固定され、他端（基端）３１は上記段部（大径部２１から小径部２２への移行段差部）２５に当接して支承固定されている。
【００２８】
この付勢手段（バネ）３の弾機により、角質排出棒２の突出部２４を角質排出時の操作部分とすると共に、角質排出棒２の先端頭部２３を収容空部１４の可動底部分とすることとしている。
【００２９】
このような構成を有する角質除去具では、図１及び図２で示すように、この常態姿勢のまま角質の除去に使用し得る。つまり、図２で示すように皮膚面Ｘに対し先端刃部１２を直角状に当てて前後に移動させることで、剥離角質Ａが収容空部１４内へ溜まる。
【００３０】
収容空部１４に溜まった剥離角質Ａを排出する作業は、排出時の操作部分である角質排出棒２の突出部２４をバネ付勢力に抗して押し込むだけで、角質排出棒２が前進し、図３で示すように先端頭部２３が先端刃部１２より外方へ臨出し、剥離角質Ａを押し出す。これにより、角質排出作業を片手操作、ワンタッチ操作で簡易、迅速、且つ正確に実行し得る。
【００３１】
また、この角質除去具では擦り管本体１と角質排出棒２が嵌挿状に配備してあるから、専用の排出棒を紛失したり毀損したりする虞れがない許かりでなく、排出棒を擦り管本体１に嵌挿する煩わしい作業が不要であり、極めて使用がってが良好である。
【００３２】
更に、角質排出棒２の先端頭部２３は、収容空部１４の内径に摺動する外径であり、且つ収容空部１４の底部を形成しているから、剥離角質Ａは角質排出棒２の先端頭部２３で受け止められ、収容空部１４内にのみ留まる。したがって、剥離角質は残滓なく効率より排出され得るから、擦り管本体１や角質排出棒２の洗浄が不要であり、清潔な衛生状態を簡易に保持し得る。
【図面の簡単な説明】
【００３３】
【図１】実施の形態の角質除去具を示す斜視図である。
【図２】実施の形態の角質除去具を示す断面図である。
【図３】実施の形態の角質除去具の角質排出状況を示す断面図である。
【図４】従来の角質除去具を示す説明斜視図である。
【符号の説明】
【００３４】
１      擦り管本体
２      角質排出棒
３      付勢手段（圧縮バネ）
１１    中空円筒体  
１２    先端刃部
１３    ストッパ（内向き突子）
１４    収容空部
２１    大径部
２２    小径部
２３    先頭頭部
２４    突出部
２５    段部
３１    バネ基端
３２    バネ先端
Ａ      剥離角質
Ｘ      皮膚表面
【図１】
0003134240.tif 000003
【図２】
0003134240.tif 000004
【図３】
0003134240.tif 000005
【図４】
0003134240.tif 000006